(57)【要約】【課題】  保護カバーの上部が異常に過熱されることなく、植毛が焼け焦げることがないようにした扇風機型暖房機を提供することを目的とする。【解決手段】  略環状に形成したヒーター３から生じる熱を前方に向けて反射する半円球型の反射板５を備え、前記ヒーター３の最前部に該ヒーター３と反射板５を保護する保護カバー６を備えた扇風機型暖房機１において、前記ヒーター３を前記反射板５の中央部であって、該ヒーター３の端子部３２、３２を上に向けて取り付けた。【選択図】  図１
2005172405.tif 000002
【特許請求の範囲】
【請求項１】
略環状に形成したヒーターから生じる熱を前方に向けて反射する半円球型の反射板を備え、前記ヒーターの最前部に該ヒーターと反射板を保護する保護カバーを備えた扇風機型暖房機において、前記ヒーターを前記反射板の中央部であって、該ヒーターの端子部を上に向けて取り付けたことを特徴とする、扇風機型暖房機。
【発明の詳細な説明】
【技術分野】
【０００１】  本発明は、扇風機型暖房機に関する。
【背景技術】
【０００２】  最近、半円球型（パラボナアンテナ型）の反射板を備えた扇風機型の暖房機が市場に出回っている。
この扇風機型暖房機は、ヒーター（発熱体）から生じる熱を反射板で収束するとともに前方に向けて輻射するため、きわめて効率がよい。
そして扇風機型暖房機は、ヒーターと反射板を保護する保護カバーを備えているのが普通である。
保護カバーはヒーターや反射板に触らないようにするために設けられているが、保護カバー自身がヒーターにより加熱され、保護カバーに触れるだけでも火傷の恐れがある。
このため、保護カバーの外表面に植毛を施したものがある（例えば特許文献１、２参照）。
【特許文献１】  特開２００３−１６１４４８号公報
【特許文献２】  実用新案登録第３０９４４９９号公報
【発明の開示】
【発明が解決しようとする課題】  しかしながら、扇風機型暖房機のヒーターは、機器の中心に取り付けられており、長時間の使用により保護カバーの上部が異常に過熱され、植毛が焼け焦げるなどの被害が生じている。【０００３】  本発明は、上記したような従来の問題点に鑑みて考えられたもので、保護カバーの上部が異常に過熱されることなく、植毛が焼け焦げることがないようにした扇風機型暖房機を提供することを目的とする。
また本発明は、ヒーターの熱を満遍なく前方へ輻射するようにした扇風機型暖房機を提供することを目的とする。
【課題を解決するための手段】
【０００４】  上記のような目的を達成するために、本発明の扇風機型暖房機は、略環状に形成したヒーターから生じる熱を前方に向けて反射する半円球型の反射板を備え、前記ヒーターの最前部に該ヒーターと反射板を保護する保護カバーを備えた扇風機型暖房機において、前記ヒーターを前記反射板の中央部であって、該ヒーターの端子部を上に向けて取り付けたことを特徴とするものである。【０００５】  上記課題解決手段による作用は次のとおりである。
ヒーターの両端の端子と端子の間は所定の間隔が開いており、発熱量が少ない。
ヒーターを反射板の中央部であって、該ヒーターの端子部を上に向けて取り付けたものであるから、保護カバーの上部が異常に過熱されることがなく、植毛が焼け焦げるなどの被害が生じない。
また、ヒーターの端子部を上に向けて取り付けることにより、ヒーターの下方から発生する熱が上方に集まることで熱が平均化され、これによって前方に満遍なく輻射されることになる。
【発明の効果】
【０００６】  本発明は、以上説明したようになるから次のような効果を得ることができる。
＜イ＞保護カバーの上部が異常に過熱されることなく、植毛が焼け焦げることがないようにした扇風機型暖房機を提供することができる。
＜ロ＞ヒーターの熱を満遍なく前方へ輻射するようにした扇風機型暖房機を提供することを目的とする。
【発明を実施するための最良の形態】
【０００７】  以下、図面を参照しながら、本発明に係る実施の形態について説明する。
図１は扇風機型暖房機の一部を断面して示す側面図である。図２は扇風機型暖房機の一部を示す分解斜視図である。図３はヒーターを示す図で、図４は扇風機型暖房機を示す斜視図である。図５は保護カバーの温度測定箇所を示す説明図である。【０００８】＜イ＞扇風機型暖房機の構成
先ず扇風機型暖房機（以下、暖房機という）の概略構成を図１及び図４に基づいて説明する。
暖房機１は、半円球型（パラボラアンテナ型）の反射板５を有する電気ストーブである。
暖房機１は、台１０、台１０から立ち上がる二股状支柱１１、二股状支柱１１にヒンジ１３を介して上下方向に回動自在に取り付けられた胴体部１２からなる（図４）。
胴体部１２はプラスチックなどを一体成型して形成し、これに反射板５と保護カバー６が取り付けられる。
反射板５と保護カバー６は、例えばビスなどで胴体部１２に取り付けることができる。
反射板５と保護カバー６の間にはヒーター（発熱体）３が配置されている。
１６は、ヒーター３の電源をオンオフするための電源スイッチであり、１７はタイマーである。【０００９】＜ロ＞ヒーター
ヒーター３は、図３に示すように略環状に形成された石英ガラス管３０の内部にフィラメントやカーボンなどの発熱体３１を挿通し、石英ガラス管３０の両端を融着して端子３２を形成したものである。
ヒーター３を略環状に形成してあるので、端子３２、３２の間は所定の間隔があいている。
端子３２は、例えば、発熱体（本例ではカーボン繊維）３１の両端部の外周にＴ字形の金属板３３を巻き付け、これをカシメて構成する。さらに、その先端をモリブデン箔３４に接続し、碍子３５を介してコード３６に接続すればよい。
端子３２はＴ字形の金属板３３に限らず、例えばコイル状線材をカーボン繊維３１の両端部外周に巻き付けたものであってもよい。
このように構成されたヒーター３を反射板５の前面略中央であって、この反射板５から所定の間隔をもって位置するように胴体部１２に取り付ける。
ヒーター３は、例えば支持金具とビスを用いて、公知の方法でヒーターカバー４に取り付けることができる。【００１０】＜ハ＞ヒーターカバー
ヒーターカバー４は、ヒーター３の前面に設置され、ヒーター３から放出される熱を反射板５に放射するようになっている。
ヒーターカバー４の中央から２本の支持棒４０、４０を突出して設ける。支持棒４０、４０の先端にネジ４１、４１を設ける（図２参照）。
ヒーターカバー４は、例えばセラミックで構成し、ヒーター３から発生する熱によって大量の遠赤外線が放射されるようにするのが好ましい。
図１に示すように、ヒーターカバー４がヒーター３を覆うことにより、ヒーター３から放出される熱が外部に分散されずに反射板５に放射され、熱効率を極大化させることができる。【００１１】＜ニ＞反射板
反射板５は、例えばアルミなどで構成され、熱を効率よく前方に反射するために、所定の凹面を形成した半円球型となっている。
反射板５の中央に略円筒状の支持筒５０を一体に結合する。
支持筒５０は、ヒーター３やヒーターカバー４を反射板５に取り付けるためのものである。
即ち、ヒーター３を取り付けたヒーターカバー４を、その支持棒４０が支持筒５０内を貫通するように差し込み、先端のネジ４１を反射板５背面の円板５１の孔５２、５２から突き出し、ナットなどで締め付けることで、ヒーター３とヒーターカバー４を反射板５に取り付けることができる。
ヒーター３のコード３６は支持筒５０内を挿通し、胴体部１２から台１０内に設けられた電源回路（図示せず）に接続される。【００１２】＜ホ＞保護カバー
保護カバー６は、従来と同様にヒーター３や反射板５に触らないようにするために暖房機１の前面に設ける。
保護カバー６は、中央部から放射状に多数のスポーク６０を形成しており、外周のリング部とスポーク６０の全表面には、ナイロン、ポリエステルなどの短繊維で静電植毛を施している。【００１３】＜ヘ＞作用
まず、ユーザーが電源スイッチ１６を操作してヒーター３に電源を供給すると、端子３２を介してカーボン繊維３１内が電気的に導電され、カーボン繊維３１が発熱し、輻射エネルギーが発生する。
ヒーター３の両端の端子３２、３２の間は所定の間隔が開いており、ここからは熱が生じない。
図５（ａ）は、ヒーター３の端子３２を上向きにした（本発明）ときの保護カバー６の温度上昇を測定した測定箇所を示し、図５（ｂ）は下向きにした（従来）ときの測定箇所を示す。
Ａは保護カバー６上部における測定箇所で、Ｂは下部における測定箇所である。
暖房機１を運転したとき、本発明における保護カバー６の温度上昇は、室温２３℃においてＡでは１００℃で、Ｂでは９６℃であった。従来の場合は、保護カバー６の温度上昇がＡでは１６０℃で、Ｂでは６４℃であった。
このことは端子３２を上向きにすることによって、端子３２に対応する保護カバー６の箇所は熱せられることはないが、熱は下方から上方へ移動するため、Ａでは１００℃、Ｂでは９６℃と略平均化されたことを意味する。従来の場合では、保護カバー６の上部（Ａ）の温度が１６０℃に昇り、植毛が焼け焦げてしまう。
また、暖房機１の前方５０センチメートルの位置で温度測定したところ、Ａ、Ｂともに４０℃から６０℃の温度範囲であり、前方に満遍なく輻射されることが分かる。【００１４】  本発明の暖房機１は、ヒーター３の端子３２、３２を上に向けて反射板５に取り付けてなるから、端子３２、３２の箇所に対応する保護カバー６の上部が異常に過熱されることがなく、植毛が焼け焦げるなどの被害が生じない。
また、ヒーター３の端子３２、３２を上に向けた状態で取り付けることにより、ヒーター３の下方から発生する熱が上方に集まることで熱が平均化され、これによって前方に満遍なく輻射されることになる。
【図面の簡単な説明】
【００１５】
【図１】扇風機型暖房機の一部を断面して示す側面図。
【図２】扇風機型暖房機の一部を示す分解斜視図。
【図３】ヒーターを示す正面図。
【図４】扇風機型暖房機を示す斜視図。
【図５】保護カバーの温度測定箇所を示す図で、（ａ）はヒーターの端子を上向きにした場合の測定箇所で、（ｂ）はヒーターの端子を下向きにした場合の測定箇所である。
【符号の説明】
【００１６】１・・・・扇風機型暖房機
１０・・・台
１２・・・胴体部
３・・・・ヒーター
３０・・・石英ガラス管
３１・・・発熱体（カーボン繊維）
３２・・・端子
４・・・・ヒーターカバー
４１・・・支持棒
５・・・・反射板
５０・・・支持筒
６・・・・保護カバー
【図１】
2005172405.tif 000003
【図２】
2005172405.tif 000004
【図３】
2005172405.tif 000005
【図４】
2005172405.tif 000006
【図５】
2005172405.tif 000007
【手続補正書】
【提出日】平成16年3月22日(2004.3.22)
【手続補正１】
【補正対象書類名】明細書
【補正対象項目名】０００６
【補正方法】変更
【補正の内容】
【０００６】  本発明は、以上説明したようになるから次のような効果を得ることができる。
＜イ＞保護カバーの上部が異常に過熱されることなく、植毛が焼け焦げることがないようにした扇風機型暖房機を提供することができる。
＜ロ＞ヒーターの熱を満遍なく前方へ輻射するようにした扇風機型暖房機を提供することができる。